(57)【要約】【課題】  釣り上げた魚の口を挟持する挟持部３と、該挟持した魚の体重測定を握り部２に内装された量り手段によって行い、該測定された魚の体重を表示する重量表示部３５が備えられた魚掴み器１において、挟持部が握り部に対してぐらつくことがなく、また使用につれて表示部が擦過されて見えづらくなることのない魚掴み器を提供する。【解決手段】  挟持部３を、握り部２に対して直線状に垂下する垂下姿勢と、握り部に対して折曲する折曲姿勢とに変姿するよう握り部に揺動自在に軸支し、、握り部と挟持部とのあいだに介装され、魚を挟持していない自然状態では挟持部を折曲姿勢に位置するよう付勢し、魚を挟持している掴み状態では、魚の重量に釣り合うだけ挟持部を垂下姿勢側に向けて揺動変姿させる弾機２６と、握り部に設けられ、挟持部が垂下姿勢側に変姿した角度に基づいて重量表示をするダイヤル式の重量表示部３５とを備えて構成した。【選択図】図７
2011019433.tif 000002
【特許請求の範囲】
【請求項１】
握り部と、該握り部を把持した状態で操作部の操作に基づいて魚の口を挟持できる挟持部とを有して構成される魚掴み器において、該魚掴み器に魚の重量表示をする量り手段を構成するにあたり、前記挟持部は、握り部に対して直線状に垂下する垂下姿勢と、該垂下姿勢に対して左右何れか一方に所定角度だけ折曲する折曲姿勢とのあいだの揺動変姿をするよう握り部に揺動自在に軸支されたものとし、握り部と挟持部とのあいだに介装され、魚を挟持していない自然状態では挟持部を折曲姿勢に位置するよう付勢し、魚を挟持している掴み状態では、該挟持している魚の重量に釣り合うだけ挟持部を垂下姿勢側に向けて揺動変姿させる弾機と、握り部に設けられ、挟持部が垂下姿勢側に変姿した角度に基づいて重量表示をするダイヤル式の重量表示部とを備えて構成されていることを特徴とする魚掴み器。
【請求項２】
挟持部には、握り部に内装される作動腕が一体的に設けられ、該作動腕と握り部とのあいだに伸長方向が作動腕の揺動方向を向くように伸長する状態で前記弾機が介装されていることを特徴とする請求項１記載の魚掴み器。
【請求項３】
作動腕と重量表示部とは、挟持部の垂下姿勢側への揺動変姿を重量表示部では増幅表示するよう増幅手段を介して連動連結されていることを特徴とする請求項２記載の魚掴み器。
【請求項４】
増幅手段は、多段の歯車伝動で構成されていることを特徴とする請求項３記載の魚掴み器。
【請求項５】
作動腕と握り部とのあいだには、挟持部の垂下姿勢と折曲姿勢とのあいだを越えた揺動を規制するストッパが設けられていることを特徴とする請求項２乃至４何れか１項記載の魚掴み器。
【発明の詳細な説明】
【技術分野】
【０００１】
本発明は、海や川等で釣り上げた魚を掴むための挟持部と共に、その体重を測定できる量り部が設けられた魚掴み器の技術分野に属するものである。
【背景技術】
【０００２】
今日、釣り上げた魚を放流するというスポーツフィッシングが盛んになり、このような場合、釣り上げた魚を手で掴んで針を外すと、魚体表面のヌルが手に付くだけでなく、これによって魚体が傷ついたりして魚が弱り、折角放流しても厳しい自然環境の中で生き抜くことが難しいという問題がある。そこで魚の口を挟持して魚を掴む魚掴み器が提唱されている（例えば特許文献１参照）。ところがこのものは、単に魚の口を挟持して魚を掴むものであって魚の体重までは測定することが出来ないという問題がある。
これに対し、魚の口を挟持した状態で量りを構成している握り部を持って持上げることで魚の体重測定が出来るようにしたものが提唱されている（例えば特許文献２、３、４参照）。
【先行技術文献】
【特許文献】
【０００３】
【特許文献１】特開２００２−４５０９８号公報
【特許文献２】ＵＳＰ５１１９５８５号公報
【特許文献３】特開２００６−２０４１１８号公報
【特許文献４】特開２００８−２８３９１５号公報
【発明の概要】
【発明が解決しようとする課題】
【０００４】
しかしながら前記従来のものは、魚の口部を挟持する挟持部と一体化された可動体を、バネを介して握り部に上下移動自在に弾持した所謂バネ量り方式であるため、可動体は握り部に対して摺動自在に内嵌する構造となっている。このような内嵌構造とする場合に、摺動を円滑にしてバネ量りとして良好な機能を発揮するためには握り部と可動体とのあいだの摺動面間に隙間が存した遊嵌状にする必要があり、このため挟持部は握り部に対してどうしてもぐらつきがあって安定感にかけると共に、可動体側に形成される目盛り部分が、握り部の内周面に対して摺接を伴いながら摺動するため、使用が長くなるほど擦過されて見づらくなってしまう惧れがあり、これらに本発明の解決すべき課題がある。
【課題を解決するための手段】
【０００５】
本発明は、上記の如き実情に鑑みこれらの課題を解決することを目的として創作されたものであって、請求項１の発明は、握り部と、該握り部を把持した状態で操作部の操作に基づいて魚の口を挟持できる挟持部とを有して構成される魚掴み器において、該魚掴み器に魚の重量表示をする量り手段を構成するにあたり、前記挟持部は、握り部に対して直線状に垂下する垂下姿勢と、該垂下姿勢に対して左右何れか一方に所定角度だけ折曲する折曲姿勢とのあいだの揺動変姿をするよう握り部に揺動自在に軸支されたものとし、握り部と挟持部とのあいだに介装され、魚を挟持していない自然状態では挟持部を折曲姿勢に位置するよう付勢し、魚を挟持している掴み状態では、該挟持している魚の重量に釣り合うだけ挟持部を垂下姿勢側に向けて揺動変姿させる弾機と、握り部に設けられ、挟持部が垂下姿勢側に変姿した角度に基づいて重量表示をするダイヤル式の重量表示部とを備えて構成されていることを特徴とする魚掴み器である。
請求項２の発明は、挟持部には、握り部に内装される作動腕が一体的に設けられ、該作動腕と握り部とのあいだに伸長方向が作動腕の揺動方向を向くように伸長する状態で前記弾機が介装されていることを特徴とする請求項１記載の魚掴み器である。
請求項３の発明は、作動腕と重量表示部とは、挟持部の垂下姿勢側への揺動変姿を重量表示部では増幅表示するよう増幅手段を介して連動連結されていることを特徴とする請求項２記載の魚掴み器である。
請求項４の発明は、増幅手段は、多段の歯車伝動で構成されていることを特徴とする請求項３記載の魚掴み器である。
請求項５の発明は、作動腕と握り部とのあいだには、挟持部の垂下姿勢と折曲姿勢とのあいだを越えた揺動を規制するストッパが設けられていることを特徴とする請求項２乃至４何れか１項記載の魚掴み器である。
【発明の効果】
【０００６】
請求項１の発明とすることにより、挟持部は握り部に対して垂下姿勢から折曲姿勢に揺動変姿することになって、挟持部と握り部とが遊嵌状に嵌合したもののように、挟持部と握り部とのあいだにぐらつきが生じることがない。また、重量表示部分は、握り部に設けられたダイアル式の重量表示であるため、従来のもののように、目盛り部分が握り部の内周面に対して摺接して使用が長くなるほど擦過されて見づらくなってしまうといったことがない。
請求項２の発明とすることにより、挟持部が折曲姿勢から垂下姿勢に揺動変姿する際の弾機伸縮を揺動方向に近いものにできて、揺動変姿をスムーズにすることが出来る。
請求項３の発明とすることにより、挟持部の揺動変姿による作動腕の移動距離を増幅して表示部に伝動することが出来て、重量表示を分かり易いものとすることが出来る。
請求項４の発明とすることにより、挟持部の揺動変姿による作動腕の移動距離をより大きく増幅することが出来る。
請求項５の発明とすることにより、挟持部が握り部に対して折曲姿勢から垂下姿勢までのみ揺動することになって、挟持部が握り部に対して無駄に揺動することがない。
【図面の簡単な説明】
【０００７】
【図１】折曲姿勢の魚掴み器の正面図である。
【図２】垂下姿勢の魚掴み器の正面図である。
【図３】挟持部の非操作姿勢を示す正面図である。
【図４】挟持部の半操作姿勢を示す正面図である。
【図５】挟持部の全操作姿勢を示す正面図である。
【図６】可動歯の作動状態を示す説明図である。
【図７】握り部の折曲姿勢を示す正面図である。
【図８】握り部の垂下姿勢を示す正面図である。
【図９】握り部の縦断面図である。
【図１０】挟持部の分解平面図である。
【図１１】握り部の分解平面図である。
【発明を実施するための形態】
【０００８】
本発明の実施の形態について図面に基づいて説明する。図１、図２における１は魚掴み器であって、該魚掴み器１は紡錘状の握り部２と、該握り部２の下端（先端）に設けられた挟持部３とにより構成されている。因みに、魚掴み器１について、図面を基準として説明する関係から、便宜上、握り部２側を上、挟持部３側を下となるよう方向付けをして説明するが、本発明はこの上下方向の方向付けに限定されないものであることはいうまでもない。
【０００９】
前記挟持部３は、図１０に示すように、表裏を構成する一対の第一、第二の基板４、５を備えており、握り部２の下端部に、第一、第二基板４、５の上端部同士が所定の対向間隔を存して、握り部２に対して回動自在に取付けられている。そして、該第一、第二基板４、５のあいだには、後述するように固定歯６、可動歯７、作動体８、操作体９が介装された状態で組み付けられている。
【００１０】
まず、第二基板５の内面には、前記作動体８を組み込むため作動体８の肉厚に相当する分だけ肉薄にした組み込み面部５ａが形成されているが、該組み込み面部５ａに上下方向に長い直線状の第一案内溝５ｂが形成されている。そして本実施の形態では第一案内溝５ｂに、Ｕ字形をした第一補強材１０ａが組み込まれていて第一案内溝５ｂの補強をしている。さらにまた、第二基板５の組み込み面部５ａよりも下端側には、上下方向に長い第二案内溝５ｃが形成されているが、該第二案内溝５ｃにもＵ字形をした第二補強材１１ａが組み込まれていて第二案内溝５ｃの補強をしている。
【００１１】
そして、第一、第二基板４、５には、上下第一、第二案内溝４ｂ、４ｃ、５ｂ、５ｃのあいだに位置し、かつ組み込み面部４ａ、５ａの下端部に位置する状態で、両基板４、５間に挟持状に介装される支持部材１２ｂが組み込まれ、左右一対の固定ビス１２を、第一、第二基板４、５に穿設した貫通孔４ｄ、５ｄを貫通して支持部材１２ｂに螺入することで第一、第二基板４、５の下端側部位の固定をしている。尚、１２ａは固定ビス１２のビス頭と第一、第二基板４、５の外面に挟持されるワッシャである。
【００１２】
さらに第二基板５には、組み込み面部５ａの上部に位置する状態で前記作動体８の上端部に設けた支軸８ａ（ピン孔８ｆに挿入）を挿入するためのピン孔５ｅが形成され、さらに該ピン孔５ｅの左側に位置して組み込み面部５ａから外れた状態で両基板４、５を固定するための固定用ビス１３用のビス孔５ｆ、操作体９をガイドするガイドピン９ａを挿入支持するためのピン孔５ｇ、組み込み面部５ａの上側に位置する状態で指を入れて操作体９を操作するための操作孔５ｈが形成される。尚、第二基板５では操作孔５ｈとビス孔５ｆとが上下方向に連通しており、さらに後述するように操作体９を復帰するための復帰弾機１５の一部を収容するための収容溝５ｉが第一案内溝５ｂよりも浅い状態で形成されている。
【００１３】
そして、第二基板５の上端部には、後述する作動腕１９を取付けるための固定ネジ２０、２１が挿入されるネジ貫通孔５ｊ、５ｋが形成され、さらに該ネジ貫通孔５ｊ、５ｋより下側には、後述するように握り部２に対して回動自在に軸支されるための貫通孔５ｌが形成されている。
【００１４】
一方、第一基板４には、第二基板５に形成した組み込み面部５ａ、第一案内溝５ｂ、第二案内溝５ｃ、貫通孔５ｄ、ピン孔５ｅ、ビス孔５ｆ、ピン孔５ｇ、操作孔５ｈ、ネジ貫通孔５ｊ、５ｋ、貫通孔５ｌに対応して組み込み面部４ａ、第一案内溝４ｂ、第二案内溝４ｃ、貫通孔４ｄ、ピン孔４ｅ、ビス孔４ｆ、ピン孔４ｇ、操作孔４ｈ、ネジ孔４ｋ、４ｌ、貫通孔４ｍが形成されており、さらにまた、第一案内溝４ｂ、第二案内溝４ｃにもＵ字形をした第一、第二補強材１０ｂ、１１ｂが組み込まれていている。
【００１５】
そして第一基板４には、組込み面部４ａよりも下側で、貫通孔４ｄの左右方向外方位置には上下に固定歯６用ネジ孔４ｉ、４ｊが刻設され、前記固定歯６を第一基板４外面に当てがう状態で、固定ネジ６ａ、６ｂを、該固定歯６に穿設した貫通孔６ｃ、６ｄに貫通させ、第一基板４に刻設したネジ孔４ｉ、４ｊに螺入することで固定歯６を第一基板４に固定できるようになっている。
【００１６】
前記操作体９は、指を入れて引き上げ操作するための操作孔９ｂが形成されるが、該操作孔９ｂの下端部から続く状態で前記固定ビス１３が貫通するよう上下方向を向いて長い貫通長孔９ｃが形成され、該貫通長孔９ｃの下端部には前記復帰弾機１５の下端部を支持するための支持部９ｄが形成されている。そして復帰弾機１５の上端部は、前記固定ビス１３に係止されており、斯かる状態で復帰弾機１５は、収容溝５ｉおよび貫通長孔９ｃによって形成されるスペースに配されている。そして操作体９は、図３〜図５に示すように、操作をしていない状態では、操作孔９ｂの上端部は第一、第二基板４、５に形成した操作孔４ｈ、５ｈに対して上下方向中間位置に位置し、この状態で操作孔９ｂに指を通して引き上げ操作して操作姿勢にした場合に、復帰弾機１５を縮小して蓄勢する操作となり、そしてこの引き上げを止めると、操作体９は復帰弾機１５の蓄勢力によって引き上げ操作していない非操作姿勢に復帰移動するようになっている。尚、操作体９には、前記作動体８の支軸８ａが貫通して上下移動をガイドするためのガイド孔９ｅが上下方向に向けて形成されている。さらに操作体９の下端部には、後述するように作動体８を揺動変姿させるための作動軸１６を支持するピン孔９ｆが形成されているが、該作動軸１６は、前記第一案内溝４ｂ、５ｂに上下方向移動自在に支持されている。
【００１７】
一方、前記作動体８は、前述したように取り付け面部４ａと５ａのあいだに組み込まれ、上端部に形成の支軸８ａを支点として左右方向揺動自在になっている。また作動体８の下端部には可動歯７の上端部に形成の第一ピン孔７ａに支持される第一ピン１７を挿入するためのピン孔８ｂが形成されると共に、ピン孔８ｂの上側に位置する状態で前記作動軸１６が移動自在に貫通するカム孔８ｃが形成されている。このカム孔８ｃは、上下方向を向く長孔であって上側に至るほど右側に傾斜（偏倚）するものであるが、右側への傾斜が小さい下側カム部８ｄと右側への傾斜が大きい上側カム部８ｅとによって形成されている。
さらに可動歯７には、前記第一ピン孔７ａよりも下側でかつ固定歯６側に位置する状態で第二ピン孔７ｂが形成され、該第二ピン孔７ｂを貫通する第二ピン１８は、前述した第二案内溝４ｃ、５ｃに上下方向移動自在に支持されている。
【００１８】
そして魚掴み器１は、前記非操作姿勢では、作動軸１６はカム孔８ｃの下端部に位置し、かつ第一案内溝４ｂ、５ｂの下端部に位置しているが、この非操作姿勢では、支軸８ａはガイド孔９ｅの上端部に位置し、第一ピン１７は支軸８ａのガイド孔９ｅの孔長方向の軸心線Ｘに対して左右方向一側（本実施の形態では左側）に偏倚した位置に位置し、第二ピン１８は第二案内溝４ｃ、５ｃの上端部に位置し、かつ前記軸心線Ｘの左右方向他側（右側）に位置している。この非操作姿勢から操作体９を引き上げ操作することになるが、作動軸１６が下側カム部８ｄの下端から上端までの範囲の引き上げ操作（操作前半の過程）では、第一ピン１７は前記軸心線Ｘに近づく方向の移動、つまり第二ピン１８に近づこうとする移動となり、これによって、第二ピン１８は、第二案内溝４ｃ、５ｃに案内されて下側に移動する状態で可動歯７を開き揺動させて先端が固定歯先端から離間する方向に拡開移動することになる。この結果、可動歯７は、第二ピン１８を支点として左右方向外方に拡開揺動することになるが、握り部２側、つまり上側に向けての移動成分は、第二ピン１８が下側に移動した移動量Ｙの分だけ相殺されることになって、可動歯先端の上下位置が固定歯６の先端の上下位置と略同位置を維持する状態で開いていくように設定されている。
【００１９】
そしてさらに操作体９を引き上げ操作すると、作動軸１６が上側カム部８ｅの下端から上端に相対移動する（操作後半の過程）ことになるが、このときの移動も、本実施の形態では第二ピン１８を僅かではあるが下動させる移動となり、その移動分、可動歯７の先端の上側に向けての移動成分を相殺することに寄与する設定になっている。因みに本発明は、魚の口を挟む場合、歯同士の先端間の間隔を全開位置するまで広く開ける必要はなく、操作前半の過程までの開きで充分であり、この結果、可動歯７の先端が上側に移動する成分を相殺して該先端が固定歯先端位置と略同じ上下位置で移動する移動範囲を、引き上げ操作の操作前半の過程とすれば良く、本実施の形態においては、後半の操作過程では、前記固定歯先端と可動歯先端との上下位置を同じ位置に維持する動きをさせる必要は必ずしもない。また、本実施の形態では、カム孔８ｃの左右方向の偏倚量について、操作前半の過程でカム作用する下側カム部８ｄが操作後半の過程でカム作用する上側カム部８ｅに対して小さくなっている結果、可動歯７の拡開移動について操作前半の過程では遅くゆっくりとし、後半の過程では速いものになるが、特に魚の口を挟むに必要な可動歯７の拡開は操作前半の過程でよく、この前半の操作過程の可動歯７をゆっくりとした動きにして口の挟み位置の目標を取りやすくなるよう配慮されている。
【００２０】
そして魚掴み器１は、前記非操作姿勢から引上げ操作を開始した場合に、第一ピン１７は前記軸心線Ｘに近づく方向の移動をし、これによって、第二ピン１８は、第二案内溝４ｃ、５ｃに案内されて下側に移動する状態で可動歯７を開き揺動させて先端が固定歯先端から離間する方向に拡開移動することになる。このとき可動歯７は、第二ピン１８を支点として左右方向外方に拡開揺動することになるが、握り部２側、つまり上側に向けての移動成分は、第二ピン１８が下側に移動した移動量Ｙの分だけ相殺されることになって、可動歯先端の上下位置が固定歯６の先端の上下位置と略同位置を維持する状態で開いていく。
さらに操作体９を引き上げ操作すると、作動軸１６が上側カム部８ｅの下端から上端に相対移動することになるが、このときの移動も、第二ピン１８を僅かではあるが下動させる移動となり、その移動分、可動歯７の先端の上側に向けての移動成分を相殺することに寄与する設定になっている。
【００２１】
つまり、可動歯７の動きを図６を用いて説明すると、可動歯７は剛体であるから、可動歯の先端Ａ、第一ピン１７の中心Ｂ、そして第二ピン１８の中心Ｃを結ぶ三角形は一体に移動する。この場合に操作体９を引き操作すると、第一ピン１７の中心Ｂは、作動体の支軸８ａの中心Ｄが描く円弧Ｅ上を前記軸心線Ｘ方向に移動することになる。そうすると、第二ピン１８の中心Ｃは反時計回りに回転しながら軸心線Ｘに沿って下方に移動する。この結果、可動歯７の先端Ａは、固定歯６の先端から離間する拡開方向の揺動をしながら下方に移動していくことになって拡開揺動することに伴って発生する可動歯先端Ａの上方向の移動成分が第二ピン１８の下方向の移動によって相殺され、可動歯先端Ａは、上下位置を固定歯先端位置と略同じ位置に位置する軌跡Ｚを描く状態で拡開していく設定になっているが、以上の挟持部３における第一、第二基板４、５、固定歯６、可動歯７、作動体８、操作部９についての構成及び操作部９の引き上げ操作による作動体８及び可動歯７の下動が伴う作動については、特許文献４に記載のものと同様であるが、図６に示すように本実施の形態のものは下動量がさらに顕著になっていて改良されている点を除いて同一であるのでその詳細は省略する。
【００２２】
そして、図７〜図９に示すように、第一、第二基板４、５の上端部には、作動腕１９が一体的に止着されているが、該止着は、第一基板４の上端部に形成されるネジ孔４ｋ、４ｌと、第二基板５の上端部に形成されるネジ貫通孔５ｊ、５ｋと、作動腕１９の下端部に形成されるネジ貫通孔１９ａ、１９ｂとを、第一、第二基板４、５で作動腕１９を挟持した状態で位置合わせし、固定ネジ２０、２１の螺入によって行われ、これによって第一基板４、作動腕１９および第二基板５は積層状に固定される。
前記固定された第一基板４、作動腕１９および第二基板５の固定ネジ２０、２１の螺入位置より下側には貫通孔４ｍ、１９ｃ、５ｌが形成され、該貫通孔４ｍ、１９ｃ、５ｌに支軸２２が揺動自在に貫通している。該支軸２２の両端部２２ａ、２２ｂは前記貫通孔４ｍ、１９ｃ、５ｌの貫通部２２ｃの外径よりも小径となる状態で第一、第二基板４、５から貫通している。この支軸２２の軸芯は、挟持部３において、第二ピン１８の軸芯を通る前記軸心線Ｘが通るように設定されている。
【００２３】
２３、２４は握り部２を構成する第一、第二握り部材であって、該第一、第二握り部材２３、２４の下端部には、前記支軸２２の両端部２２ａ、２２ｂが嵌入する嵌入孔２３ａ、２４ａが形成されている。そして第一、第二握り部材２３、２４は、前記固定された第一、第二基板４、５の外面に当てがう状態で両端部２２ａ、２２ｂを嵌入孔２３ａ、２４ａに嵌入組込みし、そしてさらに該組込み部位の外面にそれぞれワッシャ２３ｂ、２４ｂを当てがい、ビス２２ｅ、２２ｆを支軸２２に形成のビス孔２２ｄに螺入することで、第一、第二握り部材２３、２４は、支軸２２と一体になるよう固定される。この場合に、第一、第二握り部材２３、２４は、支軸２２の両端部２２ａ、２２ｂと貫通部２２ｃとのあいだの段差部２２ｇに当接することになって第一、第二基板４、５とは摺動抵抗が発生しないように僅かな隙間を存するように構成され、これによって握り部２と前記作動腕１９が固定された挟持部３とは支軸２２を軸心として相対揺動自在に組み付けられている。
【００２４】
２５は握り部２と挟持部３との揺動範囲を規制するロックピンであって、該ロックピン２５は、支軸２２を軸心として作動腕１９に円弧状に形成した長孔１９ｄに遊嵌状に貫通し、両端部２５ａ、２５ｂが第一、第二握り部材２３、２４に形成の支持孔２３ｃ、２４ｃに嵌入支持されている。そして握り部２と挟持部３とは、ロックピン２５が長孔１９ｄの一方の孔端１９ｅと他方の他方の孔端１９ｆとに当接するあいだの相対揺動が許容されるが、該握り部２と挟持部３とは、ロックピン２５が一方の孔端１９ｅに当接する状態ではく字形に折曲（本実施の形態では１２度）し、他方の孔端１９ｆに当接する状態では直線状の垂下姿勢になるように設定されている。
【００２５】
また２６は量り手段の構成部品であるコイル式の弾機であって、該弾機２６は、一端が第一握り部２３に形成のピン孔２３ｄに支持された支持ピン２６ａに係止され、他端が作動腕１９に形成の支持孔１９ｇに支持された支持ピン２６ｂに係止されている。そして弾機２６は、コイル長が作動腕１９の揺動方向と平行になるように配設されると共に、自然状態で前記ロックピン２５が一方の孔端１９ｅに当接していて握り部２と挟持部３とを最大の折曲姿勢にするように設定され、この折曲姿勢からロックピン２５が他方の孔端１９ｆに当接して握り部２と挟持部３とが垂下姿勢となる方向に変姿させるに従い伸長して蓄勢されるように設定されている。
【００２６】
さらに前記作動腕１９の上端部には、支軸２２を軸心とするギア歯１９ｈが形成されているが、該ギア歯１９ｈは、第一握り部材２３に支持の支持ピン２７ａに回動自在に支持される第一歯車２７に噛合し、該第一歯車２７は第一、第二握り部材２３、２４に支持の支持ピン２８ａに回動自在に支持される第二歯車２８に噛合している。この支持ピン２８ａには第二歯車２８が第三歯車２９にボス嵌合することで該第二歯車２８と一体回動する状態で支持されており、該第三歯車２９は第一握り部材２３に支持の支持ピン３０ａに回動自在に支持される第四歯車３０に噛合している。そして第四歯車３０は後述する最終の第五歯車３１に噛合している。因みに、第一歯車２７から第二歯車２８への動力伝動および第三歯車２９から第四歯車３０への動力伝動が、歯車径を大小異ならしめることで増幅するように設定されている。また、第一歯車２７を支持する支持ピン２７ａは、第一握り部材２３に形成の支持ボス２３ｅに圧入支持され、該支持ピン２７ａに螺入したビス２７ｂで第一歯車２７の抜止め支持をしている。さらに第二、第三歯車２８、２９を支持する支持ピン２８ａは、第一、第二握り部材２３、２４に形成の支持ボス２３ｆ、２４ｄに圧入支持されている。さらにまた、第四歯車３０を支持する支持ピン３０ａは、第一握り部材２３に形成の支持ボス２３ｇに圧入支持され、該支持ピン３０ａに螺入したビス３０ｂで第四歯車３０の抜止め支持をしている。
【００２７】
一方、前記第五歯車３１は、支持ピン３１ａに面取り嵌合することで該支持ピン３１ａと一体回動するように構成されるが、支持ピン３１ａは、一端が第一握り部材２３の上端部に形成の支持ボス２３ｈに回動自在に軸支され、他端は第二握り部材２４の上端部に形成の貫通孔２４ｅを遊嵌状に貫通し、その貫通孔外端に、円盤状に形成される指標部材３２が支持ピン３１ａと一体に回動するよう面取り嵌合され、これによって第五歯車３１と指標部材３２とは位置決め状態で組み付けられている。該指標部材３２は、第二握り部材２４の上端部に形成の円板状に形成された表示面部２４ｆの表面に対向するよう組み込まれ、その外面（表面）には指標となる矢印３２ａが設けられていて、外部から視認できるようになっている。そして前述したように、握り部２と挟持部３とが折曲姿勢から垂下姿勢に揺動変姿していくことに伴い弾機２６が蓄勢していき、これにタイミングを合わせて前記歯車伝動が行われ、これによって指標部材３２が前記増幅される状態で支持ピン３１ａを軸芯として一体回動するようになっている。そしてこの場合に、支軸２２の軸芯と支持ピン３１ａの軸芯とを結ぶ握り部側軸心線Ｌと前記挟持部側軸心線Ｘとが、握り部２と挟持部３とが前記最大の折曲姿勢にあるとき、角度θ（本実施の形態では前記１２度）だけ折曲した状態になっているが、垂下姿勢になったときには直線状になるように設定されている。
【００２８】
前記表示面部２４ｆには、リング状の枠部材３３が組み付けられ、該枠部材３３には、目盛り（本実施の形態では０〜１０ｋｇまでの目盛り）３４ａが描かれたリング状の目盛り部材３４が位置決めされた圧入状態で組み込まれている。そして前述したように、握り部２と挟持部３とが折曲姿勢から垂下姿勢に揺動変姿していくことに伴い指標部材３２が回転することになるが、この回転に伴い回転移動する矢印３２ａが指す目盛り３４ａ位置が挟持部３で挟持する魚の体重であり、このようにしてダイヤル式の重量表示部３５が形成されている。
尚、第一、第二握り部材２３、２４同士は、さらに固定ビス３６によって直接的に固定されると共に、第一握り部材２３の重量表示部３５と対応する部位には裏蓋材３７が組み付けられている。
【００２９】
叙述の如く構成された本発明の実施の形態において、魚が釣れた場合、魚掴み器１の握り部２を手で把持した状態で操作体９に該把持している手の指を掛けて引き上げ操作をして可動歯７を固定歯６から拡開させ、魚の針掛かりしている口の中に、可動歯７が魚の下顎に対向するようにして固定歯６を入れてから操作体９を離すと、可動歯７が閉じて下顎に当たり、これによって下顎部分を両歯６、７で内外挟持することになる。この状態で針を外せば、魚体を触ることなく針外しができ、魚にダメージを与えることがない。
そして握り部２を持ってそのまま持上げると、挟持部３は、前記挟持している魚の重量に基づいて折曲姿勢から垂下姿勢に揺動変姿していくことになるが、この揺動変姿量（角度）は、挟持している魚の重量に釣り合うだけの弾機２６の伸長であり、そして前記挟持部３の垂直姿勢側への揺動変姿に連動して回転した指標部材３２の矢印３２ａが指す目盛り３４ａ位置が挟持部３で挟持する魚の体重であり、これによって魚の体重を測定できる。
【００３０】
このように、本発明が実施されたものにあっては、魚を挟持して持ち上げ、魚の体重の測定ができるものであるが、該体重測定は、従来のように握り部に対して挟持部が上下に移動するバネ量り方式ではなく、握り部２に対して挟持部３が折曲姿勢から垂下姿勢に揺動することを利用し、この揺動変姿量（変姿角度）を指標部材３２の回転に変換して魚の体重を指すようにしたダイヤル式の重量表示方式にしたから、挟持部３を、握り部２に遊嵌状に嵌め込んで構成する必要はなく、支軸２２による一点支持方式となり、この結果、挟持部３が握り部２に対してぐらつきがあって安定感にかけるようなことがなく、安定性に富んだものとなる。しかも目盛り部材３４の目盛り３４ａは、バネ量り方式の場合のように、握り部２内に出入りして擦過するようなことがなく、常に外部に露出した状態になるので、長期の使用にも耐え得るものとなる。
【００３１】
しかもこのものでは、挟持部３が握り部２に対して折曲姿勢から垂下姿勢に揺動変姿する際の弾機２６の伸長が作動腕１９の揺動方向を向くように配されているので、前記挟持部３の揺動変姿に基づいて魚の体重を計測するものでありながら、精度の高い計測をスムーズにできることになる。
【００３２】
そのうえ、挟持部３の垂下姿勢側への揺動変姿量を、重量表示部３５では増幅する状態で表示するようになっているため、折曲姿勢での挟持部３の握り部２に対する折曲量（折曲角度）が小さいものであっても、重量表示を増幅表示できることになって、視認しやすく分かり易い計量ができることになる。
さらにまた、挟持部３の垂下姿勢側への揺動変姿を歯車伝動により重量表示部３５に伝動しているため、増幅機構が簡単にできるだけでなく、揺動変姿量を正確に重量表示部３５に伝達することができる。
また、挟持部３の握り部２に対する揺動範囲は、ロックピン２５が長孔１９ｄの一方の孔端１９ｅから他方の孔端１９ｆに当接する範囲に規制しているので、挟持部３が余分に揺動してしまうことを回避して安定した重量計測ができることになる。
【００３３】
尚、本発明は前記実施の形態に限定されるものではなく、挟持部３の最大の折曲姿勢で弾機２６の支持状態を自然状態ではなく伸長状態（弾持状態）にしておいて、魚の体重測定範囲を、０ｋｇからでなく例えば２ｋｇの状態を初期状態とし、ここから測定できるように構成することができ、このようにした場合には、挟持部３は、握り部２に対して２ｋｇまでの負荷では揺動しないことになって安定性が向上し、このようにして実施することもできる。
【産業上の利用可能性】
【００３４】
本発明は、海や川等で釣り上げた魚を手で押さえることなく針外しができて魚体にダメージを与えることがないものでありながら、その体重を、安定性に優れたダイヤル式の測定ができる魚掴み器としての利用可能性がある。
【符号の説明】
【００３５】
１    魚掴み器
２    握り部
３    挟持部
８    作動体
９    操作体
２６  弾機
３５  重量表示部
【図１】
2011019433.tif 000003
【図２】
2011019433.tif 000004
【図３】
2011019433.tif 000005
【図４】
2011019433.tif 000006
【図５】
2011019433.tif 000007
【図６】
2011019433.tif 000008
【図７】
2011019433.tif 000009
【図８】
2011019433.tif 000010
【図９】
2011019433.tif 000011
【図１０】
2011019433.tif 000012
【図１１】
2011019433.tif 000013